(57)【要約】【課題】  メーカーサイドが、若干のトレンド情報で企画製造したものは、顧客満足が得られず売れ残りが発生し易い。不良在庫となったものは、メーカーに返品される取引もあり、経営を不安定にしている。売り逃しなし、売れ残りなしの生産販売の仕組みが、強く待望されていた。【解決手段】  靴の基本コンセプトをインターネットで提示し、国内外のデザイナーよりその基本コンセプトに則したデザインの応募を受け付け、その中から優秀賞以下入選デザインを選定し、一般消費者に公開する。履いてみたい或は買いたい消費者を募集して、一定数量に達したものから生産するインターネットを利用した新規な靴の企画生産システムである。【選択図】    なし【特許請求の範囲】
【請求項１】
靴の基本コンセプトを提示し、デザイン公募の告知をインターネット等で行い、国内外より基本コンセプトに則したデザインの応募を受け付ける。その応募作品の中から入選及び優秀賞を選定して複数のデザインを公開し、一般消費者の履いてみたい希望を受け付け、希望の多いものから生産モデルを決定する新規なデザイン靴の企画生産システム
【請求項２】
デザイン応募者の相互投票により、入選及び優秀賞を決定する請求項１の新規なデザイン靴の企画生産システム
【請求項３】
入選から優秀賞までの賞を獲得したデザイン応募者には、賞金を授与する請求項１及び２の新規なデザイン靴の企画生産システム
【請求項４】
一般消費者に人気のあるデザインに関して、靴製作の予約をインターネット上で受け、数がまとまれば生産する請求項１、２及び３の新規なデザイン靴の企画生産システム
【請求項５】
靴の予約数により靴の価格を決定する請求項１、２、３及び４の新規なデザイン靴の企画生産システム
【発明の詳細な説明】
【技術分野】
【０００１】
本発明は、靴の新規なデザインによる企画生産システムに関するものである。
【背景技術】
【０００２】
従来の技術は、社内にいるデザイナーが各地より情報を収集し、次のシーズンの予測を行い、売れそうな靴のデザインを決定し製造していた。例えば、女性用の靴の場合、衣服の流行に合わせて、トータルファッションの面から靴のデザインと色が決定されることが多かった。靴メーカー主導の企画生産システムである。消費者主導の企画生産はなかった。
【０００３】
特許庁の特許電子図書館により公開特許公報のフロントページ検索を、靴、デザイン、インターネットで検索すると、１９９０年１月から２００３年１２月までの期間で、インターネットにより靴の受注と販売ビジネスシステムについては、以下の文献があった。
【０００４】
【特許文献１】特開２００３−１０８７９５号公報
【０００５】
【特許文献２】特開２００１−２７５７０１号公報  これらは、一般消費者が、自分の足の形にフィットする靴を注文するシステムである。特許文献１は、顧客オリジナルの靴を提供するシステムである。特許文献２も変形靴型の製作をするために、インターネットにより注文者の足の形状情報を引き出すシステムを構築したものである。
【０００６】
すなわち、デザインを公募して、応募者の相互投票により入賞を選定し、さらに一般消費者の希望により生産モデルを決定する仕組みは、背景技術には見当たらない。
【発明の開示】
【発明が解決しようとする課題】
【０００７】
従来の靴の企画生産システムには、以下のような課題があった。
限られた人数の社内デザイナーの企画では、顧客ニーズを十分把握できない。
顧客ニーズにマッチしない企画では、店頭に出しても靴の売れ行きが不安定で、シーズン中に予定数が売れないで、在庫を抱えることが起こる。
基本コンセプトを確立せず、シーズンのトレンド予測より企画したモデルでは、流行のデザインと色のみを満足するモデルに陥り易い。
フォーマル、カジュアル、スポーツ等の大きいジャンルの中での企画生産が多く、ＴＰＯに対応していなかった。
【０００８】
またデザインコンテストのシステムには、以下のような課題があった。
限られた固定の審査官による審査では、入選するデザインの傾向が固定されがちである。
無制限の一般消費者による審査においては、組織票が発生し、厳正な審査が行われない可能性がある。
一般消費者に対する全デザインの公開を行うと、商品化以前にデザインの盗用が行われる可能性がある。
本発明は、これらの課題を解決し、消費者が満足する靴を提供する企画生産システムである。  
【課題を解決するための手段】
【０００９】
我々は、消費者が着用する場を想定し、まず、靴の基本コンセプトを打ち出す。例えば、
海外旅行に持って行く、軽量のビジネスシューズ、
レジャーでの旅行において、新幹線の中の数時間において着用感のすばらしい靴、
デニムのジーンズにぴったりのトータルファッション靴
旅行先の都市をイメージした靴、
一流ホテルに出入りできるカジュアル靴、
等である。コンセプトを明確にすることで、応募をし易くする。
【００１０】
デザインコンテストとして公募することで思いもかけないデザインの発掘をねらう。応募者については、美術系の高校、大学、専門学校の生徒やそこに勤務している靴に興味のある若手デザイナーが想定される。さらに、フリーのデザイナーや海外の若手デザイナーも想定して公募する。
【００１１】
一定の数が集まった時点で、複数の人による投票を実施し、広く消費者に公開するデザインを決定する。複数の人の決め方には色々あるが、応募者の中から選ぶのもよいし、靴の販売店の売り子さんであってもよい。その人たちにインターネットで、デザインを公開し、投票を依頼する。デザイン応募者相互による投票を行う場合には、投票数を多くするために、投票を行わない人には、入選資格を与えない仕組みとする。これによりデザイナーというプロから見た基本コンセプトの表現についての採点ができる。入選から優秀賞までの公平な決定が下せる。
【００１２】
デザインの権利はコンテスト開催者に属する仕組みとし、応募の時点で伝えておく。その対価として賞金をはらう。多数の人に公開する前に、意匠登録の申請を開催者側が終えておくことが大切である。
【００１３】
つぎに、数点から十数点の基本コンセプト適合作品について、インターネット上に一般公開し、履いてみたい靴或は買いたい靴の消費者からの投票と申し込みを受け付ける。デザイナーのプロが選んだ靴のみでなく、旅行業者のツアーに参加している消費者やジーンズ店のアンケートの中でアドレスを公開し、投票してもらうこともユーザーサイドに立った一つの方法である。
【発明の効果】
【００１４】
一般消費者より要望の多いデザインから生産モデルが決定できる。正式に数がまとまれば、色、サイズ、足形状の特徴を聞いて、その受注量から価格を決定し、生産に入る。在庫なし欠品なしの企画生産販売のシステムが提供できる。
【００１５】
メーカー主導の企画製品ではなく、一般消費者が履いてみたいと意思表示した商品の生産であり、顧客満足度の高い商品の提供が、本システム発明の最大の効果である。不良在庫がないことは、企業経営から見ても特筆すべきことで、経営の安定化につながる。
【発明を実施するための最良の形態】
【００１６】
ホームページを開設し、各種のメディアを通じてコンセプトを明示する。
ロンドンの街中を歩くにふさわしいトラベルシューズ
湿地帯、例えば、釧路湿原を歩く靴
ジャンボジェットに乗る時の靴
夏涼しく、蒸れない靴
多少の凍結があっても安全な、雪祭り用の靴
等のコンセプトを明確にして、デザインの応募を受け付ける。
【００１７】
その後、応募者全員の互選により入選者を選ぶ。当然、他人の作品に投票したくない人もいると予測されるので、例えば、１位から３位までの投票を義務付ける。複数回答を求めることで、自分の作品以外のデザインについて、判断が入る仕組みとする。靴としての機能性、デザインの斬新性等の部門別の投票も行う。応募者に投票をしてもらうことは、デザインの専門家や勉強をしている若手の目で見た結果であり、最高のデザインの提供につながる。
【００１８】
選ばれたデザインを一般公開し、購入希望者を募集し、希望数の多いものから生産する。一定の期間を決めて、数が集まらないものは、再募集し、目標数に達した後生産する仕組みとする。一定の数量以下でも特注があれば、個人オリジナルの靴を含めて柔軟に対応することもあり得る。
【００１９】
このインターネットを利用した企画生産システムの運用を継続していると、５回程度から外部にデザイナーのネットワークが形成され、多くのデザイナーを抱えていることになり、一種のアウトソーシングできる外部デザイナーとしての連携体制が構築される。これも発明の効果の一つと言える。
【実施例１】
【００２０】
ホームページ開設の専門業者に委託して、デザイン公募システムをネット上に開設した。
春夏向けの５回分の基本コンセプトを決定し、その第１回のデザイン公募のインターネットによる公募を開始した。同時に、公募用のポスター作成、デザイン学校への公募開始のビラ配布をした。
【００２１】
第１回のコンセプトとして、夏用のジーンズにマッチする夏用の靴として応募期間１ヶ月にして募集した。藍染めと綿布とニットメッシュを組み合わせたアッパーで、ゴム底をインジェクションでつけたトウの少し上がった奇抜なデザイン他１６点が集まった。ストーンウォッシュタイプやユーズド加工のように、軽石やスプレーで脱色や着色加工した材料使いのものもあった。ジーンズと共に糸をほつれさせたり、モカにフリルの付いたものもあった。
【００２２】
応募者へのデザインの投票では、１１人は自分の作品を１位に投票しているが、規定どおり１位から３位までの投票記入があり、投票のデータとして有効な結果であった。夏向けのパステルカラーの靴が、優秀賞を取った。システムの中で自動的に集計され上位入賞が正式に決まった。
【００２３】
入賞作品について、一般公開する前に意匠登録の処置を取り、消費者の好みと購買意欲を、インターネット上で受け付け、その数により生産モデルを決定する。消費者からの購買意思表示は、必ずしも優秀賞の作品が１位にはならないが、目標を突破し、多く売れるものから生産することにしている。
【産業上の利用可能性】
【００２４】
社内に多くのデザイナーを抱えていなくても、社外の知恵により靴の新製品が開発できることは、企業にとって利用し易い。コンピューターに顧客情報を蓄積していくため、その機密保持の問題やハード上での色々の問題、例えば停電やデータのバックアップ体制等
の問題を解決すれば、簡略なビジネス体制として業界の利用可能性は高いと言える。
【図面の簡単な説明】
【００２５】
【図１】コンテストの実施方法を示した説明図である。
【符号の説明】
【００２６】
１基本コンセプトによるデザイン募集
２コンセプトの則ったデザインの応募
３コンセプト別デザイン収集
４投票依頼
５優秀作品の投票
６購入デザインの募集と生産モデルの決定
７生産モデルとしての決定通知
８生産指示
９製品発送
１０対価支払い
１１賞金支払い
【図１】
2005275856.tif 000002